【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
ビデオコンテンツを記憶するためのファイルを生成する方法であって、
前記ファイルの第1のトラックに、ビットストリームのコード化ビデオシーケンスについての第1のシーケンス終了(EOS)ネットワークアブストラクションレイヤ(NAL)ユニットを含めるステップであって、前記第1のEOS NALユニットが、前記コード化ビデオシーケンスの第1のアクセスユニット内にある、ステップと、
前記ファイルの第2のトラックに、前記コード化ビデオシーケンスについての第2のEOS NALユニットを含めるステップであって、前記第2のEOS NALユニットが、前記コード化ビデオシーケンスの第2のアクセスユニット内にあり、前記第2のEOS NALユニットが、前記第1のEOS NALユニットとは異なり、前記第1のアクセスユニットおよび前記第2のアクセスユニットが、異なる時間サブレイヤに属する、ステップと
を含む方法。
【請求項２】
ビデオコンテンツを記憶するためのファイルを処理する方法であって、
第1のトラックおよび第2のトラックを含むファイルを受信するステップであって、前記第1のトラックが、ビットストリームのコード化ビデオシーケンスの第1のアクセスユニットを含み、前記第2のトラックが、前記コード化ビデオシーケンスの第2のアクセスユニットを含み、前記第1のアクセスユニットが、第1のシーケンス終了(EOS)ネットワークアブストラクションレイヤ(NAL)ユニットを含み、前記第2のアクセスユニットが、第2のEOS NALユニットを含み、前記第2のEOS NALユニットが、前記第1のEOS NALユニットとは異なり、前記第1のアクセスユニットおよび前記第2のアクセスユニットが、異なる時間サブレイヤに属する、ステップと、
前記第1のEOS NALユニットに関連する時間と前記第2のEOS NALユニットに関連する時間との比較に基づいて、前記第1のEOS NALユニットを出力し、前記第2のEOS NALユニットを破棄するステップと
を含む方法。
【請求項３】
前記第1のトラックが、前記コード化ビデオシーケンスについての前記ビットストリームのアクセスユニットの第1のセットを含み、
前記第1のアクセスユニットが、前記アクセスユニットの第1のセットの順序で最後のアクセスユニットであり、
前記第2のトラックが、前記コード化ビデオシーケンスについての前記ビットストリームのアクセスユニットの第2のセットを含み、
前記第2のアクセスユニットが、前記アクセスユニットの第2のセットの順序で最後のアクセスユニットである
請求項1または2に記載の方法。
【請求項４】
前記ビットストリームが、高効率ビデオコーディング(HEVC)ビットストリームまたはレイヤードHEVCビットストリームである、請求項1または2に記載の方法。
【請求項５】
前記第1のトラック内の前記コード化ビデオシーケンスのNALユニットをビデオデコーダに出力するステップと、
前記第2のトラック内の前記コード化ビデオシーケンスのNALユニットを前記ビデオデコーダに出力するステップと
をさらに含む請求項2に従属する場合の請求項4に記載の方法。
【請求項６】
前記第1または第2のトラックのうちの少なくとも1つにおける前記コード化ビデオシーケンスの前記NALユニットに基づいて、前記コード化ビデオシーケンスのピクチャを復号するステップをさらに含む、請求項2に従属する場合の請求項4に記載の方法。
【請求項７】
ビデオコンテンツを記憶するためのファイルを生成する方法であって、
前記ファイルの第1のトラックに、ビットストリームのコード化ビデオシーケンスについての第1のビットストリーム終了(EOB)ネットワークアブストラクションレイヤ(NAL)ユニットを含めるステップであって、前記第1のEOB NALユニットが、前記コード化ビデオシーケンスの第1のアクセスユニット内にある、ステップと、
前記ファイルの第2のトラックに、前記コード化ビデオシーケンスについての第2のEOB NALユニットを含めるステップであって、前記第2のEOB NALユニットが、前記コード化ビデオシーケンスの第2のアクセスユニット内にあり、前記第2のEOB NALユニットが、前記第1のEOB NALユニットとは異なり、前記第1のアクセスユニットおよび前記第2のアクセスユニットが、異なる時間サブレイヤに属する、ステップと
を含む方法。
【請求項８】
ビデオコンテンツを記憶するためのファイルを処理する方法であって、
前記ファイルを受信するステップであって、前記ファイルが、第1のトラックおよび第2のトラックを含み、前記第1のトラックが、ビットストリームのコード化ビデオシーケンスの第1のアクセスユニットを含み、前記第2のトラックが、前記コード化ビデオシーケンスの第2のアクセスユニットを含み、前記第1のアクセスユニットが、第1のビットストリーム終了(EOB)ネットワークアブストラクションレイヤ(NAL)ユニットを含み、前記第2のアクセスユニットが、第2のEOB NALユニットを含み、前記第1のアクセスユニットおよび前記第2のアクセスユニットが、異なる時間サブレイヤに属する、ステップと、
前記第1のEOB NALユニットを出力し、前記第2のEOB NALユニットを破棄するステップと
を含む方法。
【請求項９】
前記ビットストリームが、高効率ビデオコーディング(HEVC)ビットストリームまたはレイヤードHEVCビットストリームである、請求項7または8に記載の方法。
【請求項１０】
前記第1のトラックが、前記ビットストリームのアクセスユニットの第1のセットを含み、
前記第1のアクセスユニットが、前記アクセスユニットの第1のセットの順序で最後のアクセスユニットであり、
前記第2のトラックが、前記ビットストリームのアクセスユニットの第2のセットを含み、
前記第2のアクセスユニットが、前記アクセスユニットの第2のセットの順序で最後のアクセスユニットである
請求項7または8に記載の方法。
【請求項１１】
ビデオコンテンツを記憶するためのファイルを生成するためのデバイスであって、
前記ビデオコンテンツを記憶するためのファイルを記憶するように構成されたメモリと、
1つまたは複数のプロセッサと
を含み、前記1つまたは複数のプロセッサが、
前記ファイルの第1のトラックに、ビットストリームのコード化ビデオシーケンスについての第1のシーケンス終了(EOS)ネットワークアブストラクションレイヤ(NAL)ユニットを含めることであって、前記第1のEOS NALユニットが、前記コード化ビデオシーケンスの第1のアクセスユニット内にある、ことと、
前記ファイルの第2のトラックに、前記コード化ビデオシーケンスについての第2のEOS NALユニットを含めることであって、前記第2のEOS NALユニットが、前記コード化ビデオシーケンスの第2のアクセスユニット内にあり、前記第2のEOS NALユニットが、前記第1のEOS NALユニットとは異なり、前記第1のアクセスユニットおよび前記第2のアクセスユニットが、異なる時間サブレイヤに属する、ことと
を行うように構成される
デバイス。
【請求項１２】
ビデオコンテンツを記憶するためのファイルを処理するためのデバイスであって、
前記ビデオコンテンツを記憶するためのファイルを記憶するように構成されたメモリと、
1つまたは複数のプロセッサと
を含み、前記1つまたは複数のプロセッサが、
第1のトラックおよび第2のトラックを含むファイルを受信することであって、前記第1のトラックが、ビットストリームのコード化ビデオシーケンスの第1のアクセスユニットを含み、前記第2のトラックが、前記コード化ビデオシーケンスの第2のアクセスユニットを含み、前記第1のアクセスユニットが、第1のシーケンス終了(EOS)ネットワークアブストラクションレイヤ(NAL)ユニットを含み、前記第2のアクセスユニットが、第2のEOS NALユニットを含み、前記第2のEOS NALユニットが、前記第1のEOS NALユニットとは異なり、前記第1のアクセスユニットおよび前記第2のアクセスユニットが、異なる時間サブレイヤに属する、ことと、
前記第1のEOS NALユニットに関連する時間と前記第2のEOS NALユニットに関連する時間との比較に基づいて、前記第1のEOS NALユニットを出力し、前記第2のEOS NALユニットを破棄することと
を行うように構成される
デバイス。
【請求項１３】
ビデオコンテンツを記憶するためのファイルを生成するためのデバイスであって、
前記ビデオコンテンツを記憶するためのファイルを記憶するように構成されたメモリと、
1つまたは複数のプロセッサと
を含み、前記1つまたは複数のプロセッサが、
前記ファイルの第1のトラックに、ビットストリームのコード化ビデオシーケンスについての第1のビットストリーム終了(EOB)ネットワークアブストラクションレイヤ(NAL)ユニットを含めることでであって、前記第1のEOB NALユニットが、CVSの第1のアクセスユニット内にある、ことと、
前記ファイルの第2のトラックに、前記コード化ビデオシーケンスについての第2のEOB NALユニットを含めることであって、前記第2のEOB NALユニットが、前記コード化ビデオシーケンスの第2のアクセスユニット内にあり、前記第2のEOB NALユニットが、前記第1のEOB NALユニットとは異なり、前記第1のアクセスユニットおよび前記第2のアクセスユニットが、異なる時間サブレイヤに属する、ことと
を行うように構成される
デバイス。
【請求項１４】
ビデオコンテンツを記憶するためのファイルを処理するためのデバイスであって、
前記ビデオコンテンツを記憶するためのファイルを記憶するように構成されたメモリと、
1つまたは複数のプロセッサと
を含み、前記1つまたは複数のプロセッサが、
第1のトラックおよび第2のトラックを含むファイルを受信することであって、前記第1のトラックが、ビットストリームのコード化ビデオシーケンスの第1のアクセスユニットを含み、前記第2のトラックが、前記コード化ビデオシーケンスの第2のアクセスユニットを含み、前記第1のアクセスユニットが、第1のビットストリーム終了(EOB)ネットワークアブストラクションレイヤ(NAL)ユニットを含み、前記第2のアクセスユニットが、第2のEOB NALユニットを含み、前記第1のアクセスユニットおよび前記第2のアクセスユニットが、異なる時間サブレイヤに属する、ことと、
前記第1のEOB NALユニットを出力し、前記第2のEOB NALユニットを破棄することと
を行うように構成される
デバイス。
【請求項１５】
命令を記憶したコンピュータ可読記憶媒体であって、前記命令は、実行されると、コンピューティングデバイスに、請求項1から10のいずれか一項に記載の方法を実行させる、コンピュータ可読記憶媒体。